(57)【要約】      （修正有）【課題】貯留した圧縮空気を噴出することにより種々の放出物を発射でき、さらに空気圧を調節することにより飛距離を自由に変えることが可能で、しかも放出した放出物はリールで巻き戻すことができ、かつ信頼性が高く安価で繰り返しの使用が可能な発射機を提供する。【解決手段】圧縮空気を貯留するタンク４を内蔵する本体１と、圧縮空気をタンク４に注入するポンプ３と、空気圧を測定する圧力計９と、放出物１５を発射させる引金７が係止具６と嵌合され、暴発を防止する引金カバー７ａを有し、さらに本体１の外壁前部に放出物１５を収納する着脱可能に装着される放出物収納筒２と、放出物収納筒２内部をその内壁面に沿って摺動する受圧皿１３を備える。受圧皿１３は紐体１４を介して放出物収納筒２の内壁ネジ部に連結される。さらに放出した放出物１５を手繰り寄せるリール１０が本体１の外壁前部に配設される発射機である。【選択図】図１
2016142517.tif 000002
【特許請求の範囲】
【請求項１】
放出物を放出するための圧縮空気を貯留するタンクを内蔵している本体と、前記放出物を発射させる引金が係止具と嵌合連結されていて、引金は操作者の指による押圧力が作用しない時は待機姿勢が保持され、さらに前記本体の外壁に暴発を防止するための引金カバーが設けられるとともに、前記本体外壁の中央部に空気圧を計量する圧力計と、本体外壁後部に空気を注入するポンプ或いは空気を注入するバルブが設けられており、前記圧力計の位置に、前記本体内部のタンクに貯留する空気圧が設定を超過した場合に、暴発の危険を防止するために、一定空気圧以上の圧縮空気が注入された時に作動して超過空気圧を制御するリミッターを前記圧力計に代えて設置もでき、さらに前記本体内部のタンクに一旦貯留した圧縮空気が不要になった場合に、安全に圧縮空気を逃がす、リリースバルブが本体外壁下部に固定されるとともに、前記放出物を収納して前記本体の前部に着脱可能に装着される、放出物収納筒を設けたことを特徴とする発射機。
【請求項２】
前記放出物収納筒の内部を、その内壁に沿って摺動する受圧皿が紐体を介して、前記放出物収納筒の内壁に連結され、さらに前記受圧皿は放出される圧縮空気をより効率よく受けるために可撓性を持たせてあり、しかも裾部は内壁面の直径より少し大きくしたことを特徴とする請求項１に記載の発射機。
【請求項３】
前記放出物収納筒に内蔵される放出物に連結された紐体を、本体外壁前部に着脱可能の、放出及び巻き戻しを可能とするリールに連結したことを特徴とする請求項１又は請求項２に記載の発射機。
【請求項４】
前記放出物収納筒に内蔵される放出物に連結された紐体を、放出及び巻き戻しを可能とする前記本体外壁前部に装着せず、手で持ったリールに連結したことを特徴とする請求項１又は請求項２に記載の発射機。
【発明の詳細な説明】
【技術分野】
【０００１】本発明は、ポンプ或いはバルブを使って本体に圧縮空気を注入し、その圧縮空気を噴出させて、種々の放出物（例えばパイロットロープ、救難信号、テープ、捕網、撒き餌、ボール等）を発射する発射機に関するもので、安全で特に飛距離において信頼性が高くコストが掛からなくて繰り返しの使用が可能な発射機に関するものである。
【背景技術】
【０００２】従来の発射機は、放出物を発射する際に、高圧ガスを封入したボンベから炭酸ガス等の高圧ガスを噴出させて放出するガス銃や、火薬を使用する発射機では装着した火薬を爆発させて噴出する方法が知られている。
例えば特許文献１には、高圧ガスを用いて発射することが開示されているが、この技術では、１回発射するたびに高価な高圧ガスボンベを交換する必要があり面倒で不経済である。さらに高圧ガスは温度に左右され気温１０℃以下になると、噴出力が２０％以上低下するので、冬期や寒冷地では飛距離が変動する欠点がある。
火薬を使用する発射機に於いては銃刀法により法的規制があり、銃砲所持免許を取得する必要があるので使用者が限られている。
【先行技術文献】
【特許文献】
【０００３】
【特許文献１】特許第４３３５２３９号
【特許文献２】特許第５４０１６７７号
【発明の概要】
【発明が解決しようとする課題】
【０００４】本発明は、高圧ガスボンベや火薬を使用しない発射機で、本体に内蔵されているポンプによりタンクに圧縮空気を注入して種々の物品を発射させるので、ボンベや火薬を交換する手間とコストが掛からず、しかも安全で繰り返しの使用が可能な発射機で、さらに圧縮空気を利用することは冬期や寒冷地に於いても、高圧ガスを使用する発射機のように気温に左右されず、いつでも安定した飛距離が得られる信頼性の高い発射機を提供することを目的とする。
【課題を解決するための手段】
【０００５】本発明は、放出物を放出するための圧縮空気を貯留するタンクを内蔵している本体と、放出物を発射させる引金が係止具と嵌合連結されていて、引金は操作者の指による押圧力が作用しない時は待機姿勢が保持され、さらに本体の外壁に暴発を防止するための引金カバーが設けられるとともに、本体外壁の中央部に空気圧を計量する圧力計と、本体外壁後部に空気を注入するポンプ或いは空気を注入するバルブが設けられている。
尚、前記圧力計の位置に、前記本体内部のタンクに貯留する空気圧が設定を超過した場合に、暴発の危険を防止するために、一定空気圧以上の圧縮空気が注入された時に作動して、超過空気圧を制御するリミッターを圧力計に代えて設けてもよい。さらに本体内部のタンクに一旦貯留した圧縮空気が不要になった場合に、安全に圧縮空気を逃がすリリースバルブが、本体外壁下部に固定されるとともに、放出物を収納して本体の前部に着脱可能に装着される放出物収納筒を設けたことを特徴とする発射機である。【０００６】本発明の発射機においては、放出物収納筒の内部を、その内壁に沿って摺動する受圧皿が紐体を介して放出物収納筒の内壁に連結され、特に受圧皿は放出される圧縮空気を効率よく受けるために可撓性を持たせ、しかも裾部は内壁面の直径より少し大きくすることが好ましい。【０００７】さらに本発明は、放出物収納筒に内蔵される放出物に連結された紐体を、本体外壁前部に着脱可能の、放出及び巻き戻しを可能とするリールに連結したことを特徴とする発射機である。尚、このリールは着脱可能であるので本体に装着せずに手で持つことができる。
ここで前部とは圧縮空気を噴出する方向を指し、後部とはその反対方向を指す。
【発明の効果】
【０００８】本発明によれば、空気を注入するポンプ若しくはバルブにより圧縮空気を本体のタンクに注入させ噴出させることができるので、火薬式発射機のように火薬の交換や銃砲所持許可も不要で、また高圧ガスボンベを使用する発射機のように高圧ガスボンベの交換が不要で、手間と高圧ガスボンベのコストがかからないで、繰り返しの使用が可能な発射機を提供することができる。さらに高圧ガスを使った発射機は気温１０℃以下の低温では噴出力が２０％以上低下する問題があるが、圧縮空気を使用する本発明では気温に左右されないので冬期や寒冷地の気温１０℃以下の低温状態で使用しても目標とする飛距離が維持できる信頼性の高い発射機を得ることができる。
【図面の簡単な説明】
【０００９】
【図１】本発明の発射機にリール、ポンプ、圧力計を設けた例を模式的に示す断面図である。
【図２】本発明の発射機にポンプ及び圧力計に代えてバルブ及びリミッターを設けた例を模式的に示す断面図である。
【図３】図１及び図２中の係止具、引金、開閉弁、引金カバーを拡大して示す断面である。
【図４】図１の発射機を発射して放出物を放出した例を示す断面図である。
【発明を実施するための形態】
【００１０】図１は、本発明の発射機の例を模式的に示す断面である。以下では、本体に封入された圧縮空気が噴出される方向（すなわち図１の例では左方向）を前方とし、その反対方向（すなわち図１の例では右方向）を後方とする。
【００１１】図１に示すように、本体１は圧縮空気を作る本体１の外壁後部にあるポンプ３と本体１の内部には圧縮空気を貯留するタンク４と、貯留された圧縮空気を開閉する開閉弁５と、本体１の外壁中央部にある空気圧を量る圧力計９と、本体１の外壁前部にある放出物１５を巻き取るリール１０と、本体１の外壁下部にある把持部８と隣接した引金７に嵌合された係止具６と、本体１の外壁下部にある、貯留された圧縮空気の放出が不要となった時に圧縮空気を開放するリリースバルブ１２とからなる。
尚、ポンプ３を設けず、図２のように本体１の外壁中央部にバルブ９ａを設けてこれより圧縮空気を注入してもよく、また圧力計９に変えて一定の圧力以上になると余分な圧力を制御放出するリミッター９ａを設けてもよい。
【００１２】図１に示す係止具６と開閉弁５及びその周辺に配置される引金７と暴発防止用の引金カバーを拡大して図３に示す。本体１のタンク４に貯留された圧縮空気が引金７を引くことによって、係止具６の窪み部６ａに嵌合されていた係止具６の係止が解除され、同時に開閉弁５が連動して解放され圧縮空気が本体１の前部に装着された放出物収納筒２に高速で噴出される。
【００１３】放出物収納筒２の内部には受圧皿１３が摺動可能に収納されており、放出物収納筒２に噴出された圧縮空気によって受圧皿１３が前方へ移動しながら放出物を押し出す。
受圧皿１３は噴出される圧縮空気を効率よく受けるため、受圧皿１３に可撓性を持たせ、さらに受圧皿の裾部は内壁面の直径より少し大きくしてある。
【００１４】受圧皿１３は紐体Ａ１４を介して放出物収納筒２の内壁に連結されているので、放出物１５を押し出した後も受圧皿１３は放出物収納筒２から落下しないので再利用できる。
【００１５】本体１の上部に装着してあるリール１０は装着しないで手で持つ場合もあるが、図１ではリ−ル１０を装着してある。図４のごとく放出された放出物１５とリール１０は紐体１６Ｂで連結されており、押し出された後も放出物１５をリール１０で紐体１６Ｂを巻き戻し回収することができるので再利用できる。
【００１６】飛距離を調節する場合は、圧力計９を観察しながらポンプ３、若しくはバルブ３ａより圧縮空気を適宜に注入することで好みの飛距離が得られる。
例えば、重量５０グラムの放出物１５は１気圧では約１０メートル、２気圧では約４０メートル、３気圧では約７０メートルの飛距離が得られる。
【産業上の利用可能性】
【００１７】本発明は、津波や風水害等の災害現場で放出物を目的地へ飛ばすことにより、遭難船や対岸にタイトロープを渡たす場合に人命救助用として利用される。
さらに電気工事や架橋工事に於いて塔と塔の間に電線やワイヤーを架設する時に、パイロットロープとして産業用にも利用される。
また漁業者には放出物収納筒に撒き餌を入れて、簡単確実に魚の居場所を狙って発射することができる。しかも放出物収納筒にテープや紙吹雪等の様々な物品を入れることができるので、テープや紙吹雪を放出する火薬クラッカーや高圧ガスクラッカーの代用品として、安全で安価な娯楽用にも利用できる。テープや紙吹雪等の物品を入れる場合は、放出物収納筒の出口に紙を貼り付けて蓋をすれば物品が零れ落ちることがなく、しかも放出される際に紙が破れることにより大きな音を発し、雰囲気を景気づけることができので、特に中国ではお祝い事や葬式で景気づけに使われていた爆竹が禁止されたので、爆竹に代わる手段として利用が期待できる。
【符号の説明】
【００１８】１    本体
２    放出物収納筒
３    ポンプ
３ａ  バルブ
４    タンク
５    開閉弁
５ａ  開閉弁軸収納溝
５ｂ  押出バネ
６    係止具
６ａ  窪み部
７    引金
７ａ  引金カバー
８    把持部
８ａ  把持部
９    圧力計
９ａ  リミッター
１０  リール
１１  リールホルダー
１２  リリースバルブ
１３  受圧皿
１４  紐体Ａ
１５  放出物
１６  紐体Ｂ
【図１】
2016142517.tif 000003
【図２】
2016142517.tif 000004
【図３】
2016142517.tif 000005
【図４】
2016142517.tif 000006